(57)【要約】      （修正有）【課題】吸水シートの固定作業、交換作業が容易なペット用のトイレマットを提供する。【解決手段】トイレマット１は、上面３側に、載せ受け部４と縁堤部５とを具備する。載せ受け部４は、吸水シート２１を載せるためのほぼ矩形の平滑面を有する。縁堤部５は、載せ受け部を囲むように、マットの周縁部に隆起して形成される。載せ受け部には、吸水シートの四隅部に対応する位置に、四隅部を下面側へ挿通させることができる４つのスリット６が形成される。このスリットの内側縁部に沿って第１の抜け止め突起列７が、また外側縁部に沿って第２の抜け止め突起列が設けられる。第１の抜け止め突起列は、上方へ突出する複数の上方突起からなり、第２の抜け止め突起列は、下方へ突出する複数の下方突起からなる。【選択図】図１
0003190691.tif 000002
【実用新案登録請求の範囲】
【請求項１】
エラストマー製で概略矩形薄板状の部材からなり、床面に密着するように配置される平滑な下面と、矩形の吸水シートを載せ受ける、下面と反対側の上面とを有し、
上面側に、前記吸水シートを載せ受ける平滑な載せ受け部と、この載せ受け部を囲んで上方へ隆起する縁堤部とを具備し、
前記載せ受け部には、前記吸水シートの四隅部対応位置に当該四隅部を下面側へ挿通させることができる４つのスリットと、このスリットの内側縁部に沿って上面側に形成された第1の抜け止め突起列と、当該スリットの外側縁部に沿って下面側に形成された第２の抜け止め突起列とを具備し、
前記第1の抜け止め突起列は、前記スリットに挿通された前記吸水シートの四隅部の下面に摩擦係合するように、スリットの内側縁部に沿って上方へ突出するように並んで形成された複数の上方突起からなり、
前記第２の抜け止め突起列は、前記スリットに挿通された前記吸水シートの四隅部の上面に摩擦係合するように、スリットの外側縁部に沿って下方へ突出するように並んで形成された複数の下方突起からなることを特徴とするペット用トイレマット。
【請求項２】
前記第1の抜け止め突起列を構成する上方突起及び前記第２の抜け止め突起列を構成する下方突起は、それぞれ尖端を有することを特徴とする請求項１に記載のペット用トイレマット。
【請求項３】
前記載せ受け部は、２枚の前記吸水シートを並置できる面積を有し、
前記スリットは、前記載せ受け部に並置された２枚の前記吸水シートの外側の各二隅を挿通できるように配置され、
前記載せ受け部には、２枚の前記吸水シートの内側の各二隅に対応する位置に、当該二隅を差し込みできる２つの中央スリットが形成され、
前記中央スリットは、外周側に広がる概略Ｖ字状に形成され、２枚の前記吸水シートの内側の各二隅を共通に差し込み可能に構成されることを特徴とする請求項１に記載のペット用トイレマット。
【請求項４】
四隅部に吊り止め用の係合孔を具備することを特徴とする請求項１ないし３のいずれかに記載のペット用トイレマット。
【考案の詳細な説明】
【技術分野】
【０００１】
本考案は、吸水シートの下に敷いて用いるペット用のトイレマットに関する。
【背景技術】
【０００２】
従来、吸水シートの下に敷いて用いるペット用のトイレマットとして、例えば非特許文献１に記載されたものが知られている。このトイレマットは、ほぼ矩形状のシリコーン樹脂製のもので、矩形状の吸水シートの角を止めるストッパー部を四隅に有する。各ストッパー部は、矩形マットの対角線上に並んだ内側、外側の一対の差し込み孔からなる。各差し込み孔は、放射状の多数のスリットで構成される。吸水シートは、四隅をマットの内側の差し込み孔から裏側へ通し、さらに裏側から外側の差し込み孔を通して表側へ引き出すことにより、マットに固定される。
【先行技術文献】
【特許文献】
【０００３】
【非特許文献１】株式会社ターキー、トイレマットの製品紹介［平成２６年２月２６日検索］インターネット（URL:http://www.tarky-jp.com/products/detail6.html）
【考案の概要】
【考案が解決しようとする課題】
【０００４】
上記従来のトイレマットは、吸水シートを固定するのに、四隅を２つの差し込み孔に表裏方向から通す必要があるため、吸水シートの着脱作業が比較的複雑で、交換が容易でない。
したがって、本考案は、吸水シートの固定作業、交換作業が容易なペット用のトイレマットを提供することを目的としている。
【課題を解決するための手段】
【０００５】
以下、添付図面の符号を参照して説明するが、本考案はこれに限定されるものではない。
上記課題を解決するための、本考案のペット用トイレマット１は、シリコーンゴムのようなエラストマー製で、概略矩形薄板状の柔軟な部材からなる。トイレマット１は、床面に密着するように配置される平滑な下面２と、その反対側の上面３とを有し、上面に矩形の吸水シート２１を載せ受ける。マット１は、上面側に、載せ受け部４と縁堤部５とを具備する。載せ受け部４は、吸水シート２１を載せるためのほぼ矩形の平滑面を有する。縁堤部５は、載せ受け部４を囲むように、マット１の周縁部に隆起して形成される。載せ受け部４には、吸水シート２１の四隅部に対応する位置に、当該四隅部を下面側へ挿通させることができる４つのスリット６が形成される。このスリット６の内側縁部に沿って第1の抜け止め突起列７が、また外側縁部に沿って第２の抜け止め突起列８が設けられる。第1の抜け止め突起列７は、上方へ突出するように並んで形成された複数の上方突起７ａからなる。第２の抜け止め突起列８は、スリット６の外側縁部に沿って下方へ突出するように並んで形成された複数の下方突起８ａからなる。上方突起７ａは、スリット６に挿通された吸水シート２１の四隅部の下面に摩擦係合するように構成される。下方突起８ａは、スリット６に挿通されて下面側へ延出する吸水シート２１の四隅部の上面に摩擦係合するように構成される。
【考案の効果】
【０００６】
本考案のトイレマット１は、吸水シート２１の四隅部をスリット６に通すだけで、簡単に載せ受け部４上に吸水シート２１を保持することができる。
【図面の簡単な説明】
【０００７】
【図１】本考案に係るトイレマットと吸水シートの斜視図である。
【図２】図１のトイレマットの一部の平面図である。
【図３】図１のトイレマットの正面図である。
【図４】吸水シートを装着した図１のトイレマットの一部の平面図である。
【図５】図４における吸水シートを除いたＶ−Ｖ断面図である。
【図６】図４におけるＶＩ−ＶＩ断面図である。
【図７】図１のトイレマットの使用状態の平面図である。
【図８】図１のトイレマットの使用状態の斜視図である。
【考案を実施するための形態】
【０００８】
図面を参照して本考案の実施の形態を説明する。
図１ないし図４において、トイレマット１は、シリコーンゴムのようなエラストマー製で、概略矩形薄板状の部材からなる。トイレマット１は、床面に密着するように配置される平滑な下面２と、矩形の吸水シート２１を載せ受ける、下面と反対側の上面３とを有する。上面３側には、吸水シート２１を載せ受ける平滑な載せ受け部４と、この載せ受け部４を囲んで上方へ隆起する縁堤部５とを具備する。
【０００９】
載せ受け部４には、吸水シート２１の四隅部対応位置に、当該四隅部を下面２側へ挿通させることができる４つのスリット６と、このスリット６の内側縁部に沿って上面側に形成された第1の抜け止め突起列７と、当該スリット６の外側縁部に沿って下面側に形成された第２の抜け止め突起列８とを具備する。
【００１０】
図５、図６に示すように、第1の抜け止め突起列７は、スリット６の内側縁部に沿って上方へ突出するように並んで形成された複数の上方突起７ａからなる。各上方突起７ａは、三角形状で、尖端を有し、スリット６に挿通された吸水シート２１の四隅部の下面に摩擦係合する。
【００１１】
第２の抜け止め突起列８は、スリット６の外側縁部に沿って下方へ突出するように並んで形成された複数の下方突起８ａからなる。下方突起８ａは、三角形状で、尖端を有し、スリット６に挿通された吸水シート２１の四隅部の上面に摩擦係合する。
【００１２】
トイレマット１における載せ受け部４は、図１に示す大判の吸水シート２１の１/２の大きさの２枚の吸水シート２２を並置できる。図７に示すように、スリット６は、載せ受け部４に並置された２枚の吸水シート２２の外側の各二隅を挿通して係止できる。
【００１３】
載せ受け部４には、２枚の吸水シート２２の内側の各二隅に対応する位置に、当該二隅を差し込みできる２つの中央スリット９が形成される。
【００１４】
中央スリット９は、外周側に広がる概略Ｖ字状に形成され、それによって三角形状の押さえ片１０が形成される。２枚の吸水シート２２の内側の各二隅を共通にスリット９に差し込み、押さえ片１０で保持することができる。なお、大判の吸水シート２１を載せる場合に、その中間部周縁を中央スリット９に通し、押さえ片１０で吸水シート２１を押さえることができる。
【００１５】
四隅の縁堤部５部上には、係合孔１１が形成される。係合孔１１は、図８に示すように、例えばマットを半折にし、一方の半部を支持物に掛けて、起立させて使用したいような場合に、フック等を掛けてマットの片側を吊り下げる用に供することができる。
【符号の説明】
【００１６】
１      トイレマット
２      下面
３      上面
４      載せ受け面
５      縁堤部
６      スリット
７      第１の抜け止め突起列
７ａ    下方突起
８      第２の抜け止め突起列
８ａ    上方突起
９      中央スリット
１０    押さえ片
１１    孔
２１    吸水シート
２２    吸水シート
【図１】
0003190691.tif 000003
【図２】
0003190691.tif 000004
【図３】
0003190691.tif 000005
【図４】
0003190691.tif 000006
【図５】
0003190691.tif 000007
【図６】
0003190691.tif 000008
【図７】
0003190691.tif 000009
【図８】
0003190691.tif 000010